(57)【要約】      （修正有）【課題】メダル通路を通過する物体によって押下される可動部材の予期せぬ動きを防止することができる遊技機を提供する。【解決手段】遊技機は、メダル投入口と、セレクタと、メダル投入口から投入されたメダルをセレクタに向けて流下させるメダル通路と、メダル通路を通過する物体によって押下される可動部材と、可動部材の動きを検知するセンサと、を備える。メダル通路は、湾曲する曲部を有し、可動部材は、メダルが接触するメダル接触部１１１を有する。メダル接触部１１１は、曲部の出口付近に配置され、メダル通路内に向けて突出するように付勢されているとともに、曲部側の端部が面取りされた形状となっている。したがって、曲部でバウンドしたメダルが、メダル接触部１１１の端部に接触することを防ぎ、可動部材の予期せぬ動きを防止できる。【選択図】図８
2019154938.tif 000002
【特許請求の範囲】
【請求項１】
メダル投入口と、このメダル投入口の下方に配置されメダルを選別するセレクタと、前記メダル投入口から投入されたメダルを前記セレクタに向けて流下させるメダル通路と、このメダル通路を通過する物体によって押下される可動部材と、この可動部材の動きを検知するセンサと、を備える遊技機であって、
前記メダル通路は、下方に向かうにつれて左方または右方に向かうように湾曲する曲部を有し、
前記可動部材は、
メダルが接触するメダル接触部を有し、当該メダル接触部が前記曲部の出口付近に配置され、当該メダル接触部が前記メダル通路内に向けて突出するように付勢されているとともに、当該メダル接触部の前記曲部の側の端部が面取りされた形状となっていることを特徴とする遊技機。
【請求項２】
前記メダル通路の対向する２つの面それぞれには、メダルの表面または裏面が接する複数の突条がそれぞれに同数設けられており、一方の面に設けられた前記突条それぞれと対向する位置に、他方の面に設けられた前記突条それぞれが配置されていることを特徴とする請求項１に記載の遊技機。
【発明の詳細な説明】
【技術分野】
【０００１】
本発明は、遊技機に関する。
【背景技術】
【０００２】
従来から遊技機として、外周面に複数の図柄が配列されたリールを複数備えたスロットマシンが知られている。スロットマシンでは、遊技媒体としてのメダルを投入することで遊技開始可能な状態となり、遊技者によるスタートレバーやストップボタンへの操作に基づいて遊技が行なわれる。
【０００３】
スロットマシンにおいては、メダルは、メダル投入口から投入され、メダルを選別するセレクタを通って、ホッパーユニットに導かれる。従来、このようなスロットマシンの一例として、いわゆるゴト行為への対策として、メダル投入口から投入されたメダルをセレクタへ導くメダル通路の一部を屈曲させたものが知られている（例えば、特許文献１）。このようにメダル通路を屈曲させることで、メダル投入口から異物を挿入することが困難となり、ゴト行為を抑制することができる。
【０００４】
また、メダル通路内には、ゴト行為に使用される異物を検知するためや、通過するメダルを検知するため等に、各種センサが設けられることがある。このようなセンサは、メダル通路を通過するメダル等に押下される可動部材と対となって使用され、当該可動部材の動きを検知することで、何らかの物体がメダル通路を通過したことを検知する。
【先行技術文献】
【特許文献】
【０００５】
【特許文献１】特開２００６−４３２８０号公報
【発明の概要】
【発明が解決しようとする課題】
【０００６】
ところで、メダル通路が曲部を有する場合、メダル通路を流下するメダルが、当該曲部の側面に衝突して、メダル通路内でバウンドすることがある。このような場合に、当該曲部の出口付近に可動部材が配置されていると、１枚のメダルが２回可動部材を押下してしまうなどして、センサの誤検出を引き起こすおそれがある。
【０００７】
本発明は、前記事情に鑑みてなされたもので、メダル通路を通過する物体によって押下される可動部材の予期せぬ動きを防止することができる遊技機を提供することを目的とする。
【課題を解決するための手段】
【０００８】
前記目的を達成するために、本発明の遊技機は、メダル投入口と、このメダル投入口の下方に配置されメダルを選別するセレクタと、前記メダル投入口から投入されたメダルを前記セレクタに向けて流下させるメダル通路と、このメダル通路を通過する物体によって押下される可動部材と、この可動部材の動きを検知するセンサと、を備える遊技機であって、前記メダル通路は、下方に向かうにつれて左方または右方に向かうように湾曲する曲部を有し、前記可動部材は、メダルが接触するメダル接触部を有し、当該メダル接触部が前記曲部の出口付近に配置され、当該メダル接触部が前記メダル通路内に向けて突出するように付勢されているとともに、当該メダル接触部の前記曲部の側の端部が面取りされた形状となっていることを特徴とする。
【０００９】
このような構成によれば、可動部材のメダル接触部は、メダル通路の曲部側の端部が面取りされているので、当該端部のメダル通路内への突出量が抑えられる。したがって、メダル通路においてメダルがバウンドする場合に、バウンド前あるいはバウンド直後のメダルが可動部材の端部に接触することを防ぐことができ、可動部材が１枚のメダルによって二度押しされたり長時間押されたりすることを防ぐことができる。
【００１０】
また、本発明の前記構成において、前記メダル通路の対向する２つの面それぞれには、メダルの表面または裏面が接する複数の突条がそれぞれに同数設けられており、一方の面に設けられた前記突条それぞれと対向する位置に、他方の面に設けられた前記突条それぞれが配置されていてもよい。
【００１１】
このような構成によれば、突条と突条との間の部分は、メダルに接触しなくなるので、メダルとメダル通路との接触面積が小さくなり、メダルに働く摩擦力が低減される。したがって、メダルの流れを滑らかにできる。また、メダル通路の両面に設けられた複数の突条が、互いに対向する位置に配置されているので、メダルが傾いた際に突条と突条との間にメダルが引っかかったりすることを防ぐことができるとともに、メダルが傾くこと自体効果的に防ぐことができる。
【発明の効果】
【００１２】
本発明の遊技機によれば、可動部材の予期せぬ動きを防止することができる。
【図面の簡単な説明】
【００１３】
【図１】本発明の実施の形態に係る遊技機の一例を示すもので、その斜視図である。
【図２】同、メダル投入ユニットを示すもので、左前側から分解斜視図である。
【図３】同、メダル投入部を示すもので、下側後方から見た斜視図である。
【図４】同、メダル通路について説明するための図であって、レール後部材を前側から見た斜視図である。
【図５】同、レール後部材を示すもので、後側から見た斜視図である。
【図６】同、レール前部材を示すもので、後側から見た斜視図である。
【図７】同、メダル投入部とレール後部材とレール前部材とを示すもので、下側前方から見た斜視図である。
【図８】同、レール後部材とセンサユニットとを示すもので、前側から見た斜視図である。
【図９】同、メダル投入部とレール後部材とレール前部材とを示すもので、左側から見た断面斜視図である。
【図１０】同、センサユニットを示すもので、右前側から見た分解斜視図である。
【図１１】同、可動片を示すもので、後側から見た斜視図である。
【図１２】同、レール後部材とレール前部材とセレクタとを示すもので、後側から見た斜視図である。
【図１３】同、メダル通路とセレクタ側メダル通路とを示すもので、左側から見た断面斜視図である。
【発明を実施するための形態】
【００１４】
以下、本発明の実施の形態について図面を参照して説明する。
まず、遊技機の概略構成について説明する。なお、以下では遊技機の一つであるスロットマシンについて説明するが、本発明に係る遊技機は、スロットマシンに限ることなく、パチンコ遊技機等のその他の遊技機であってもよい。
また、以下の説明においては、基本的に「前後」とは、スロットマシンの前側に遊技者が居る場合に、遊技者側が「前」で、スロットマシン側が「後」を意味し、「上下」とはスロットマシンの上面側が「上」で、下面側が「下」を意味し、「左右」とはスロットマシンを遊技する遊技者の左手側が「左」を意味し、右手側が「右」を意味する。
また、本実施の形態のスロットマシンＸにおいては、使用される正規のメダルは、φ３０（直径約３０ｍｍ）、厚さ約１．７ｍｍのものとする。また、以下の説明において、単に「メダル」と言った場合には、基本的に正規のメダル（φ３０のメダル）を意味するものとする。なお、メダルは、例えばφ２５のもの（例えば、直径約２５ｍｍ、厚さ約１．６ｍｍ）等の異なるサイズのものを使用するものとしてもよい。また、φ３０とは異なるサイズのメダルを使用する場合には、メダルが通過する部分のサイズを、メダルのサイズの比に応じて適宜変更して設計することが好ましい。
【００１５】
図１はスロットマシンＸを示す斜視図である。このスロットマシンＸは、筐体１を備えており、この筐体１は、底板、左右の側板、天板および背板を備え、当該筐体１の正面側に開口する正面開口部を有する箱形に形成されている。なお、底板の上面には、図示は省略するが、各部品に電力を供給するための電源装置を内蔵した電源ユニット、メダルを貯留するとともにメダルを払い出す払い出し装置としてのホッパーユニット等が設けられている。
【００１６】
また、筐体１の正面には、筐体１の正面開口部を開閉可能に閉塞する前扉３が設けられている。
筐体１内には、図示は省略するが、リールユニットや基板ユニット等が設けられている。リールユニットは、周囲に複数の図柄を表示した３個の回転リールと、回転リールを回転させるための駆動モータ（ステッピングモータ）を有している。また、基板ユニットは、ＣＰＵ、ＲＯＭ、ＲＡＭ、Ｉ／Ｏ等の電子部品を備えた基板を、基板ケースに収納したものである。そして、基板ユニットは、スロットマシンＸの遊技を制御するための遊技制御装置として機能する。
【００１７】
図１に示すように、前扉３の上部中央には、平板状のパネル４が設けられている。また、パネル４は、その中央部に形成された透明な表示窓５と、表示窓５を囲うように形成され、絵柄が描かれた（印刷された）意匠部６とを備えている。
【００１８】
表示窓５の奥には、前記３個の回転リールが横一列に設けられている。そして、表示窓５を通して回転リールの一部が視認可能となっている。各回転リールの外周面には複数種類の図柄が配列されており、回転リールが停止すると表示窓５を通して１リール当たり３個の図柄が表示される。そして、３個の回転リールが停止したときに表示窓５を通して表示される図柄の組み合わせによって当選役が入賞したか否かが表示される。
【００１９】
意匠部６の背面側には、照明用の光源（ＬＥＤ）が設けられており、この光源からの光によって意匠部６に描かれた絵柄が背後から照らされるようになっている。また、前扉３のパネル４の上部には、報知や演出などを行うための照明装置７が設けられている。また、前扉３の左右両端部には、報知や演出などを行うための照明装置８，８が設けられている。
【００２０】
また、前扉３は、筐体１にヒンジを介して回動可能に連結されることで、筐体１の開口部を開閉するようになっている。
なお、前扉３は、上側部分と下側部分とで分かれている等、複数の扉に分かれているものであってもよい。また、スロットマシンＸは、遊技店における機種の交換時に筐体１、前扉３の下側部分および筐体１内の電源ユニットやホッパーユニット等が遊技店の島設備に取り付けられたままで、前扉３の上側部分およびリールユニット等が交換可能ないわゆる分離型筐体タイプのものであってもよい。
【００２１】
また、前扉３の上下方向中央部には、スロットマシンＸを操作するための操作部１０が設けられている。操作部１０には、クレジットされたメダルを払い出すための精算スイッチ１１、遊技を開始させるためのスタートレバー１２、３個の回転リールそれぞれの回転を停止させるための３個のストップボタン１３、メダル（遊技媒体）を投入するためのメダル投入口４１、メダル投入口４１の下方で発生したメダル詰まりを解消するリジェクトボタン、１枚のメダルをゲームに投資するときに操作される１ベットボタン１５、最大数の３枚のメダルをベットするときに操作されるＭＡＸベットボタン１６（ベットボタン）等が設けられている。
【００２２】
ＭＡＸベットボタン１６は、上方を向くように配置されており、上方から下方に向かって押し込まれるように形成されている。ＭＡＸベットボタン１６を動作させるために必要な力（以下、操作力という）は、約１．０Ｎとなっている。また、ＭＡＸベットボタン１６は、押圧部と弾性部材とを備えている。押圧部は、遊技者の指等によって押し込み操作される部材であり、樹脂等で形成されている。また、押圧部は、弾性部材によって上方に付勢されている。弾性部材は、押圧部を付勢するとともに、押圧部が押し込み操作された場合には付勢力に抗して弾性変形するように形成されている部材であり、ばね等が用いられている。
また、ストップボタン１３は、前方を向くように配置されており、前方から後方に向かって押し込まれるように形成されている。ストップボタン１３の操作力は、約０．７Ｎとなっている。すなわち、ストップボタン１３の操作力は、ＭＡＸベットボタン１６の操作力よりも小さくなっている。
また、ストップボタン１３は、ＭＡＸベットボタン１６と同様に、押圧部と弾性部材とを備えており、ストップボタン１３は、弾性部材によって前方に付勢されている。
【００２３】
また、既述のとおり、ＭＡＸベットボタン１６の操作力は約１．０Ｎとなっている。すなわち、押圧部を押し込んで弾性部材を弾性変形させ、ＭＡＸベットボタン１６が備えるセンサからスイッチＯＮ信号（ボタンが押された旨の信号）が出力される位置まで押圧部を移動させるのに必要な荷重（センサ検知荷重）が約１．０Ｎとなっている。本実施の形態の遊技機においては、センサには、フォトセンサが用いられているが、押圧部の押し込みを検知できるものであればその他のセンサを用いてもよい。フォトセンサは、例えば、押圧部の押し込みによって動く検出物体によって、発光素子から受光素子に向かう光が変化したことを検知すると、スイッチＯＮ信号を出力するようになっている。押圧部は、センサ検知荷重より大きな荷重が加えられると、弾性部材を弾性変形させながらさらに移動し、メカストッパーに当接して停止するようになっている。ストップボタン１３（操作力約０．７Ｎ）についても同様である。
【００２４】
ここで、本実施の形態の遊技機における基本的な遊技の流れを説明する。遊技者がＭＡＸベットボタン１６を押下すると、クレジットされたメダルが投入（ベット）され、遊技を開始することが可能な状態となる。そして、遊技者が遊技を開始する操作としてスタートレバー１２を押下する操作を行うと、回転リールが回転を始め、回転リールの回転速度が所定の速度まで上昇するとストップボタン１３の押下操作が有効な状態となる。その後、遊技者が任意のタイミングでストップボタン１３を押下していくと、各回転リールが停止する。そして、すべての回転リールが停止すると、遊技の結果に応じて、メダルを払い出す処理や、メダルを新たに消費することなく再度遊技を開始可能な状態とする処理等が行なわれ、１回の遊技が終了する。
【００２５】
上記から明らかなように、ストップボタン１３は、遊技毎に回転リールの数に応じた複数個押下する必要がある。このとき、ストップボタン１３の操作力が、ＭＡＸベットボタン１６の操作力よりも小さく設定されていることにより、遊技者は、ストップボタン１３の操作に関して軽くて心地よい操作フィーリングを得ることができるとともに、テンポよくすべてのストップボタン１３を押下することが可能となる。したがって、遊技者は快適に遊技を行うことが可能となり、遊技性が向上する。また、このように使用頻度の高いストップボタン１３の操作力が小さく設定されていることにより、遊技者の疲労の蓄積が軽減され、遊技性が向上する。
【００２６】
また、ＭＡＸベットボタン１６は、遊技を開始するための操作に用いられることや、上から叩くようにして操作することが可能であることから、強い力で操作されることも多いが、ストップボタン１３よりも操作力が大きく設定されていることにより、遊技者は適度に押しごたえのある操作フィーリングを得ることができ、遊技性が向上する。
【００２７】
また、前扉３の下端部には、スロットマシン内部よりメダルを排出するためのメダル払い出し口と、メダル払い出し口から排出されたメダルを溜めておくためのメダル受け皿１８とが形成されている。また、操作部１０とメダル受け皿１８との間には遊技機の外観を装飾するための下パネル２０が設けられている。また、下パネル２０の背面側には、照明用の光源（ＬＥＤ）が設けられており、この光源からの光によって下パネル２０が背後から照らされるようになっている。
【００２８】
次に、前記メダル投入口４１を備えるメダル投入ユニット３０について説明する。メダル投入ユニット３０は、図２に示すように、メダル投入部３１と、メダルを選別するセレクタ３３と、メダル投入部３１から投入されたメダルをセレクタ３３へ導くメダル通路３５と、センサユニット３７と、Ｒシュート３９と、を備えている。
メダルは、メダル投入部３１のメダル投入口４１から投入され、メダル通路３５を通過して、セレクタ３３に到達する。そして、セレクタ３３では、メダルの選別が行なわれる。具体的には、メダルが正規のメダルの場合には、このメダルはＲシュート３９に向けて流され、Ｒシュート３９を通ってホッパーユニットに到達する。一方、既定の大きさとは異なる大きさのメダルや、不適切なタイミングで投入されたメダルは、非正規のメダルとして、前記メダル払い出し口からメダル受け皿１８に排出されるように導かれる。
【００２９】
メダル投入部３１は、メダル投入口４１と、メダル制止壁４２（壁部）と、メダルガイド部４３と、を備えており、金属（例えば、ステンレス鋼等）により成形されている。メダルガイド部４３は、メダルをメダル投入口４１に案内するための部分であり、メダル投入口４１に向かって前後に延びる断面円弧状の溝となっている。また、メダル制止壁４２は、メダルガイド部４３に沿って移動させたメダルを衝突させて、メダルの前後方向への動きを止め、メダルがメダル投入口４１から投入されるようにするためのものであり、壁面をメダル投入口４１側に向けている。また、メダル制止壁４２は、メダルガイド部４３の後端からメダル１枚分の厚さよりも僅かに離れて配置されている。メダル投入口４１は、メダルガイド部４３と、メダル制止壁４２との間に形成された左右に長いスリット状の孔である。そして、遊技者が、メダルガイド部４３に沿ってメダルをメダル制止壁４２側に移動させ、メダルがメダル制止壁４２に当接した状態でメダルを離すことで、メダルがメダル投入口４１から投入されるようになっている。
【００３０】
また、メダル投入口４１は、平面視において矩形状となっており、短辺（前後方向）の長さがメダル１枚分の厚さよりも僅かに長くなっているとともに、長辺（左右方向）の長さがメダルの直径よりも僅かに長くなっている。また、メダル投入口４１の短辺の長さは、メダル２枚分の厚さよりも短くなっている。
【００３１】
また、メダル制止壁４２は、図３に示すように、メダル投入口４１から投入されたメダルをメダル通路３５へと導く投入口側メダル通路４５の後面を構成している（図９参照）。また、メダル制止壁４２は、その上部がメダル投入口４１の後端から上方に延出している。また、メダル制止壁４２の上縁は、左右方向において、メダル投入口４１の中央部に対応する部分が上方に凸となる山なり形状となっている。そして、メダル投入口４１から投入されたメダルは、投入口側メダル通路４５を通過してメダル通路３５に至るようになっている。
なお、以下では、メダル通路３５や投入口側メダル通路４５等の、メダルが通過する通路について、その断面の長辺方向（メダルの径方向に対応する方向）の長さを「幅」といい、短辺方向（メダルの厚さ方向に対応する方向）の長さを「高さ」ということとする。また、メダルが通過する通路について、メダルの裏面（メダル通路３５を通過するメダルにおける後側を向く面、以下同様）に対向する面を後面といい、メダルの表面（メダル通路３５を通過するメダルにおける前側を向く面、以下同様）に対向する面を前面といい、メダルの側面に対向する面（通路の前面と後面とをつなぐ面）を側面という。
【００３２】
投入口側メダル通路４５は、上方から下方へ向かう直線状となっており、メダルが上方から下方へ向かって真っすぐ流下するようになっている。また、投入口側メダル通路４５は、上方の入口から下方の出口に向かって、幅が狭くなるとともに、高さが低くなっている。また、投入口側メダル通路４５の高さは、最も高い部分から最も低い部分までのどの部分においてもメダル１枚分の厚さよりも長く、メダル２枚分の厚さよりも短くなっている。
【００３３】
投入口側メダル通路４５の下部は、メダル投入部３１の下面から下方に突出する角筒状突出部４７によって形成されている。また、角筒状突出部４７の左前側および右後側にはそれぞれ、メダル投入部３１の下面から下方に突出するボス４８，４８が、設けられている。また、ボス４８，４８は、ネジ孔を有している。また、角筒状突出部４７の下端面の右前部分から下方に突出するようにして、矩形の板状の係止片４９が設けられている。
【００３４】
メダル通路３５は、レール後部材５０とレール前部材５１とにより形成されている（図２、図７、図９参照）。レール後部材５０は、メダル通路３５の後面および両側面を構成している。また、レール前部材５１は、メダル通路３５の前面を構成している。
【００３５】
メダル通路３５は、入口が上方を向くとともに、出口が下方を向いた状態となっている。また、メダル通路３５は、図４に示すように、入口から入ってきたメダルを、下方に向かうにつれ左方に向かうように導く第一曲部３５ａと、第一曲部３５ａから出てきたメダルを左方に向かうにつれ下方に向かうように導く第二曲部３５ｂと、第二曲部３５ｂから出てきたメダルを下方に導く直線部３５ｃと、を備えている。すなわち、第一曲部３５ａは、メダルの進行方向において左方に向けて湾曲しており、第二曲部３５ｂは、メダルの進行方向において下方に向けて湾曲している。換言すると、メダル通路３５を通過するメダルは、第一曲部３５ａにおいて進行方向が下方から左方に変わり、第二曲部３５ｂにおいて進行方向が左方から下方に変わるようになっている。また、直線部３５ｃの下端は、メダル通路３５の出口となっている。また、メダル通路３５の入口と第一曲部３５ａとの間は、ごく短い（例えば、５ｍｍ以下の）直線路となっている。
【００３６】
メダル通路３５の両側面は、第一曲部３５ａおよび第二曲部３５ｂを形成するように湾曲した面となっている。具体的には、第一曲部３５ａにおいて、メダル通路３５の右側面は、下方に向かうにつれて左方に湾曲する曲面となっている。また、第一曲部３５ａの右側面は、正面視において、略１／４円弧状となっている。また、第一曲部３５ａにおいて、メダル通路３５の後面は略１／４円状となっている。そして、第一曲部３５ａは、正面視において、円の中心Ｐが左側面近傍（左側面上を含む）にある略１／４円状となっている。また、第二曲部３５ｂにおいて、メダル通路３５の左側面は、左方に向かうにつれて下方に湾曲する曲面となっている。また、第二曲部３５ｂの左側面は、正面視において、略１／４円弧状となっている。また、第二曲部３５ｂにおいて、メダル通路３５の後面は略１／４円状となっている。そして、第二曲部３５ｂは、正面視において、円の中心Ｑが右側面近傍（右側面上を含む）にある略１／４円状となっている。
【００３７】
なお、メダル通路３５の入口と出口とは、メダル通路３５の左右方向において、メダル１枚分以上ずれて配置されている。そして、メダル通路３５がクランク形状となっていることにより、メダル投入口４１からメダル通路３５の深部やセレクタ３３まで異物が挿入されゴト行為が行われることが防がれている。また、このようなクランク形状となるメダル通路３５が、メダル投入部３１とは別体のレール後部材５０およびレール前部材５１により作られているので、メダル投入部３１の金型成形を容易にすることができる。
【００３８】
レール前部材５１は、透明な合成樹脂により成形されている。レール前部材５１は、図６および図７に示すように、板状であり、正面視において、その外形がレール後部材５０の外形と略一致するようになっている。また、レール前部材５１の上端部左側には、前方に突出する突出部５５が設けられている。突出部５５は、前方から後方に向けて切り欠いた切欠き部を備えており、この切欠き部が、下方から上方に向けてネジを挿通させるネジ挿通部５５ａとなっている。また、レール前部材５１の上端部右側には、前方から後方に向けて断面矩形状に切り欠いた切欠き部５６が形成されている。また、レール前部材５１の下端部の左右両端部にはそれぞれ、ネジを挿通させるためのネジ挿通孔５７，５７および後方に向けて突出する突起部５８，５８が設けられている。また、レール前部材５１の背面は、平面状となっている。
【００３９】
レール後部材５０は、図４および図５に示すように、メダル通路３５の後面を形成する背板６０と、メダル通路３５の右側面を形成する右側壁６１と、メダル通路３５の左側面を形成する左側壁６２と、右側壁６１または左側壁６２の下端部から左右方向外側に突出するフランジ部６４，６４と、を備えている。また、レール後部材５０は、金属（例えば、ステンレス鋼等）により一体的に成形されている。背板６０は、板状であり、板面を前後方向に向けた状態となっている。また、背板６０は、正面視において、前述のメダル通路３５の形状（第一曲部３５ａ、第二曲部３５ｂ、直線部３５ｃ）に沿った形状となっている。また、右側壁６１および左側壁６２は、背板６０の右端縁または左端縁に沿って前方に突出するように形成されている。また、フランジ部６４，６４は、右側壁６１または左側壁６２の下端部と一体的に形成されている。また、フランジ部６４，６４の前面、右側壁６１の前端面および左側壁６２の前端面は、面一となっている。また、左右のフランジ部６４，６４それぞれには、ネジを挿通するためのネジ挿通孔６５，６５およびレール前部材５１の突起部５８が挿入される突起部挿入孔６６，６６が設けられている。
【００４０】
レール後部材５０とレール前部材５１とは、レール前部材５１の背面が、レール後部材５０のフランジ部６４，６４の前面、右側壁６１の前端面および左側壁６２の前端面と当接するとともに、突起部５８，５８が突起部挿入孔６６，６６に挿入された状態で、後述するネジ止めにより一体化されている。そして、レール後部材５０の背板６０と、右側壁６１と、左側壁６２と、レール前部材５１とに囲われた空間としてのメダル通路３５が形成されている。
【００４１】
また、背板６０の両側部には、前方に突出する凸部７０，７０がメダル通路３５の延在方向に沿って形成されている。また、右側の凸部７０の幅は、右側壁６１から略一定の長さとなっている。また、左側の凸部７０の幅は、左側壁６２から略一定の長さとなっている。すなわち、右側の凸部７０と右側壁６１との間には隙間がなく、左側の凸部７０と左側壁６２との間にも隙間がない。また、凸部７０，７０は、メダルの背面に接触する面である正面側の面（前面）が平らな面になっている。また、凸部７０，７０の内側面は、Ｒ形状となっており、丸みを帯びた形状となっている。
【００４２】
また、右側壁６１と左側壁６２とは、互いに略一定の距離を保って延在している。また、左右の凸部７０，７０は、メダル通路３５において、互いに略一定の距離を保って延在している。
【００４３】
ここで、図８に示す右側壁６１の内側面と左側壁６２の内側面との間隔、すなわちメダル通路３５の幅Ｗ１は、入口部分を除き約３１．８ｍｍとなっている。また、メダル通路３５は、入口部分の幅が、入口側に向けて僅かに拡がった形状となっており、もっとも広がった部分（上端）の幅Ｗ２は約３２．３ｍｍとなっている。また、右側の凸部７０と左側の凸部７０との間隔Ｗ３は、約２１．３ｍｍとなっている。また、右側の凸部７０の幅Ｗ４は、約５．２ｍｍとなっている。また、左側の凸部７０の幅Ｗ５は約５．２ｍｍとなっている。換言すると、メダル通路３５の幅Ｗ１は、メダルの直径よりもメダルの直径の５％〜１０％分広くなっている。また、各凸部７０の幅は、メダル通路３５の幅の１０％〜２５％となっている。
なお、右側の凸部７０の幅Ｗ４と、左側の凸部７０の幅Ｗ５とはほぼ等しくなっているが、右側の凸部７０の幅Ｗ４の方が広くなっていてもよく、左側の凸部７０の幅Ｗ５の方が広くなっていてもよい。
【００４４】
上述の通り、メダル通路３５を通過するメダルＭはφ３０となっている。したがって、メダルＭがメダル通路３５の右側に寄って、右側の側面（右側壁６１）に接した状態であっても、メダルＭの裏面が左側の凸部７０に接触可能になっている。また、メダルＭがメダル通路３５の左側に寄って、左側の側面（左側壁６２）に接した状態であっても、メダルＭの裏面が右側の凸部７０に接触可能になっている。換言すると、メダル通路３５を通過するメダルＭは、その裏面が常に両側の凸部７０，７０に当接可能な状態となっている。さらに換言すると、メダル通路３５の一方の側面の任意の点から他方の側部側の凸部７０までの最短距離は、メダルＭの直径未満となっており、メダル通路３５の他方の側面の任意の点から一方の側部側の凸部７０までの最短距離は、メダルＭの直径未満となっている。また、メダル通路３５を通過するメダルＭは、正面視において、両側の凸部７０，７０に対し、少なくともメダルＭの直径の３％、より好ましくは５％分以上が突出するようになっている。
【００４５】
また、図９に示す左右の凸部７０の高さＨ１は、約０．３ｍｍとなっている。また、メダル通路３５の高さとしての、凸部７０，７０とレール前部材５１との間隔Ｈ２は、約２．３ｍｍとなっている。前述の通り、メダルの厚みは約１．７ｍｍなので、メダル通路３５の高さは、メダル２枚分の厚みよりも低くなっている。また、このように、メダル通路３５の高さが低くなっていることにより、メダル通路３５内においてメダルが傾くことが抑えられ、左右の凸部７０，７０の間に形成された凹部７１にメダルが接触しないようになっている。また、メダル通路３５の高さは、通路のほぼ全体にわたり約２．３ｍｍで略一定となっているが、入口部分のみ僅かに拡がった形状となっている。具体的には、レール前部材５１上端のメダル通路３５に対応する部分と、レール後部材５０の左右の凸部７０，７０の上端とは、面取りされて傾斜面５１ａ,７０ａが形成されており、これにより、メダル通路３５は入口が拡がった形状となっている。
【００４６】
なお、凸部７０，７０は、レール前部材５１に形成してもよいが、レール後部材５０に形成することで、メダルを案内するレールとしての機能をレール後部材５０に集約することができる。すなわち、メダル通路３５を流下するメダルは、第一曲部３５ａの右側面に衝突して左方へと導かれるので、第一曲部３５ａの右側面は耐衝撃性の高い金属等により形成することが好ましい。また、凸部７０，７０も摩耗を抑制するために金属により形成することが好ましい。このように、メダル通路３５の側面や凸部７０，７０等の、耐久性を高くすることが望ましい部分を金属により一体的に成形することで、メダル通路３５の耐久性を高めることができる。また、レールとしての機能がレール後部材５０に集約されるので、レール前部材５１は、レール後部材５０からメダルが飛び出るのを防ぐ蓋として機能すればよく、材料に樹脂等を採用しても問題なくなり、製造コストを低減することができる。なお、レール後部材５０とレール前部材５１との両方に凸部７０，７０を形成してもよい。この場合には、レール後部材５０の凸部７０，７０と、レール前部材５１の凸部７０，７０とは、互いに対向するように形成されていることが好ましい。また、レール後部材５０は樹脂製であってもよく、レール前部材５１は金属製であってもよい。
【００４７】
また、凸部７０，７０の代わりに、レール後部材５０に、メダル通路３５に沿って複数（例えば、３本）の突条を形成してもよい。この場合に、各突条は、メダル通路３５の延在方向に沿って形成される。また、これら複数の突条は、互いに並行して配置される。換言すると、メダル通路３５の後面に複数の溝が形成されるようにしてもよい。各突条のサイズは、例えば、幅を約２．０ｍｍ（メダル通路の幅およびメダルの直径の１０％以下）、高さを約０．２ｍｍとすることが考えられるが、これに限定されるものではない。また、各突条の上端は、凸部７０，７０と同様に、面取りされて傾斜面７０ａのような傾斜面が形成されており、メダル通路３５の入口が拡がるようになっていてもよい。また、メダルＭがメダル通路３５の右側に寄って、右側の側面（右側壁６１）に接した状態であっても、メダルＭの裏面が当該複数の突条の全てに接触可能になっており、メダルＭがメダル通路３５の左側に寄って、左側の側面（左側壁６２）に接した状態であっても、メダルＭの裏面が当該複数の突条の全てに接触可能になっていることが好ましい。換言すると、メダル通路３５を通過するメダルＭは、その裏面が常に当該複数の突条全てに当接可能な状態となっていることが好ましい。このような構成によれば、突条が長期の使用により摩耗してしまう場合であっても、複数の突条が均等に摩耗するようになる。
また、当該複数の突条は、レール前部材５１に形成してもよく、レール後部材５０とレール前部材５１との両方に形成してもよい。また、当該複数の突条をレール後部材５０とレール前部材５１との両方に形成する場合には、レール後部材５０とレール前部材５１とに同数の突条を設け、レール後部材５０の突条それぞれと、レール前部材５１の突条それぞれとを互いに対向する位置に（互いに並走するように）設けることが望ましい。このように、同数の突条を互いに対向する位置に設けることで、メダルが傾いた際に突条と突条との間にメダルが引っかかったりすることを防ぐことができるとともに、メダルが傾くこと自体効果的に防ぐことができる。
【００４８】
また、レール後部材５０の背板６０には、図４および図５に示すように、左右に長い矩形状の開口８０が設けられている。また、開口８０は、第一曲部３５ａの出口（図４および図８に二点鎖線Ａで図示）近傍に設けられている。具体的には、開口８０は、第一曲部３５ａの出口に隣接して設けられている。また、開口８０の上縁は、第一曲部３５ａの出口の上下方向中央よりも下方であって、第一曲部３５ａの出口の下端よりも上方に位置している。また、開口８０は、第二曲部３５ｂの左右方向略全域にわたり形成されている。具体的には、開口８０の右縁は、第一曲部３５ａと第二曲部３５ｂとの境界線上に位置している。また、開口８０の右縁は、左右方向の位置が、直線部３５ｃの右側面の位置と略一致している。また、開口８０の左縁は、左右方向の位置が、第二曲部３５ｂの左端部および直線部３５ｃの左端部と近接している。
【００４９】
また、開口８０の下縁から上方に延びるようにして傾斜面８２が形成されている。また、傾斜面８２は、上方に向かうほど後方に向かうように、凸部７０，７０の前面に対して傾斜した平面となっている。また、傾斜面８２の上縁は、第一曲部３５ａの出口の下端よりも上方に位置している。また、傾斜面８２の下縁は、第一曲部３５ａの出口の下端よりも下方に位置している。
【００５０】
また、開口８０は、第二曲部３５ｂから直線部３５ｃにわたって設けられている。なお、開口８０は、第一曲部３５ａに設けられていてもよく、第二曲部３５ｂに設けられていてもよく、直線部３５ｃに設けられていてもよく、これらのうちの複数の領域にわたって設けられていてもよい。
【００５１】
また、レール後部材５０の背板６０の背面であって、開口８０の上方位置には、後方に突出するボス８４が設けられている。また、ボス８４は、ネジ孔を有している。また、背板６０の背面上端部の右側には、後方に突出する突出部８６が設けられている。突出部８６は、後方から前方に向けて切り欠いた切欠き部を備えており、この切欠き部が、下方から上方に向けてネジを挿通させるネジ挿通部８６ａとなっている。また、レール後部材５０の左側壁６２の上端部には、平面視Ｌ字状の係止部８８が、前方に突出して設けられている。
【００５２】
センサユニット３７は、図１０に示すように、ケーシング９０と、センサ１００と、可動片１１０（可動部材）とを備えている。そして、センサ１００と可動片１１０とは、ケーシング９０に固定されて一体化されている。
ケーシング９０は、ケーシング本体９１と蓋９２とを有している。ケーシング本体９１は、センサ１００が収容される空間としてのセンサ収容部９４を有している。また、センサ収容部９４は、前側、下側および左側が開口している。
【００５３】
センサ１００は、フォトインタラプタを主要素とする電子回路である。センサ１００は、可動片１１０の動作を検知し、検知信号を出力するようになっている。センサ１００は、フォトインタラプタに電源を供給する配線や、フォトインタラプタの検知信号を送信するための配線が接続されるコネクタ１０１を、センサ収容部９４の左側の開口から露出させた状態で、センサ収容部９４に収容されている。また、センサ収容部９４に収容されたセンサ１００は、下側が蓋９２に覆われた状態で、ケーシング本体９１にネジ９５によるネジ止めによって固定されている。
【００５４】
また、ケーシング本体９１のセンサ収容部９４の上方には、丸棒状の軸９６が設けられている。また、軸９６には、ねじりコイルばね９７が設けられている。
また、ケーシング本体９１の上端部には、ネジ挿通孔９９ａを有するセンサユニット取付部９９が設けられている。
【００５５】
可動片１１０は、図１０および図１１に示すように、メダルが接触するメダル接触部１１１と、板状部１１２と、遮光部１１３と、支持部１１４，１１４とを備えており、これらが黒色の合成樹脂により一体的に成形されている。また、メダル接触部１１１は、第一板状部１１１ａと第二板状部１１１ｂとを備えている。
【００５６】
板状部１１２、第一板状部１１１ａおよび第二板状部１１１ｂは、左右に長い矩形の板状となっている。また、板状部１１２の下辺と第一板状部１１１ａの上辺が接続されており、第一板状部１１１ａの下辺と第二板状部１１１ｂの上辺が接続されている。また、第一板状部１１１ａは、板状部１１２から離れるほど前側に向かうように、板状部１１２に対して傾斜した傾斜面となっている。また、第二板状部１１１ｂは、板状部１１２と略平行となっている。したがって、メダル接触部１１１は、左右方向からみた断面形状がくの字状となっている。また、第一板状部１１１ａの左側面と第二板状部１１１ｂの左側面とを繋ぐようにして、補強部１１６が設けられており、メダル接触部１１１が補強されている。また、メダル接触部１１１は、右端部が面取りされた形状となっており、傾斜面１１８が形成されている。
【００５７】
遮光部１１３は、板状をしており、板面を左右方向に向けた状態で、第一板状部１１１ａの背面から後方に突出して設けられている。また、支持部１１４は、板状部１１２の上端に左右に離間して２つ設けられている。また、支持部１１４は、軸が挿通される軸挿通孔１１４ａを有している。
【００５８】
可動片１１０は、軸挿通孔１１４ａに軸９６が挿通されることで、ケーシング本体９１と一体化されている。また、ねじりコイルばね９７は、その一端がケーシング本体９１に係止されているとともに、他端が可動片１１０のばね係止孔１１０ａに係止されており、軸９６を中心に可動片１１０が前方かつ上方に向けて回動するように（右側から見た場合の時計回り方向に）付勢されている。
【００５９】
センサユニット３７は、図１２に示すように、センサユニット取付部９９のネジ挿通孔９９ａに挿通されたネジ１２７が、レール後部材５０のボス８４のネジ孔にねじ込まれることで、レール後部材５０に固定されている。また、可動片１１０は、図８に示すように、レール後部材５０の開口８０からメダル接触部１１１が露出した状態となっている。
【００６０】
可動片１１０は、動作前の状態（可動片１１０が押下されておらず、最大限前側に動いた状態）においては、メダル接触部１１１がメダル通路３５の後面よりも前方に突出した状態となっている。具体的には、第一板状部１１１ａの下端部の前面および第二板状部１１１ｂの前面の全体が、凸部７０，７０の前面よりも前方に突出した状態となっている。また、動作前の状態において、可動片１１０は、板状部１１２の前面が、レール後部材５０の開口８０の縁に当接した状態となっており、可動片１１０の前方への回動が制止されている。また、動作前の状態において、可動片１１０とレール前部材５１との間隔は、メダル１枚分未満となっている。
【００６１】
また、動作前の状態においては、第一板状部１１１ａおよび第二板状部１１１ｂは、下側に向かうほど前側に向かうように凸部７０，７０の前面（メダル通路３５の後面）に対して、傾斜した状態となっている。換言すると、第一板状部１１１ａおよび第二板状部１１１ｂは、下側ほどメダル通路３５内に突出した状態となっており、可動片１１０のメダル接触部１１１は、下側ほどメダル通路３５内に突出している。また、傾斜面１１８は、左側に向かうほど前側に向かうように（メダル通路３５内に突出するように）、凸部７０，７０の前面に対して、傾斜した状態となっている。また、傾斜面１１８は、下側に向かうほど前側に向かうように（メダル通路３５内に突出するように）、凸部７０，７０の前面に対して、傾斜した状態となっている。また、傾斜面１１８は、その右上端部が、凸部７０，７０の前面よりも後方に位置している。そして、傾斜面１１８は、第一曲部３５ａの出口の中央から離れた側ほどメダル通路３５内に突出するように形成されている。また、第一板状部１１１ａの上縁は、第一曲部３５ａの出口の上下方向中央よりも下方であって、第一曲部３５ａの出口の下端よりも上方に位置している。また、第一板状部１１１ａの下縁は、第一曲部３５ａの出口の上下方向中央よりも下方であって、第一曲部３５ａの出口の下端よりも上方に位置している。また、可動片１１０の右縁は、第一曲部３５ａの出口の近傍に位置している。また、メダル接触部１１１の横幅Ｗ６は、約２６．５ｍｍとなっている。また、傾斜面１１８は、略三角形状となっており、その頂点が、メダル接触部１１１の右上端、右下端、第一板状部１１１ａと第二板状部１１１ｂとの境目に配置されている。また、傾斜面１１８の横幅Ｗ７は、約４．７ｍｍとなっている。すなわち、メダル接触部１１１の横幅のうち、約１０％〜２５％を面取りして傾斜面１１８が形成されている。
【００６２】
メダル通路３５を通るメダルＭは、可動片１１０のうち、まず傾斜面１１８に接触するようになっている。また、メダルＭは、傾斜面１１８の上を滑るようにして移動し、これに従って、可動片１１０が、下方かつ後方に向かって押下される（回動する）ようになっている。そして、可動片１１０が押下されると、可動片１１０の遮光部１１３がフォトインタラプタの発光部１２０と受光部１２１との間に移動し、発光部１２０から受光部１２１への光を遮光部１１３が遮るようになっている（図１０、図１１参照）。そして、これによりフォトインタラプタから、可動片１１０が押下された旨の検知信号が送信されるようになっている。このとき、メダルＭがメダル通路３５の後面側を通る場合は、可動片１１０は、第二板状部１１１ｂの前面が凸部７０，７０の前面と面一（平行）になるまで押されるようになっている。一方、メダルＭがメダル通路３５の前面側を通る場合は、可動片１１０は、第二板状部１１１ｂの前面が凸部７０，７０の前面と面一になるまでは押されないようになっているが、いずれの場合であっても、遮光部１１３が発光部１２０から受光部１２１への光を遮る状態まで可動片１１０が動くようになっている。また、メダルＭが、可動片１１０を通過すると、可動片１１０がねじりコイルばね９７の付勢力によって上方かつ前方に押し戻され、前記動作前の状態に戻るようになっている。
【００６３】
なお、フォトインタラプタからの検知信号は、上述の基板ユニット（メイン制御基板）に送られるようになっている。そして、基板ユニットは、所定時間（例えば、１秒程度）連続して検知信号が送られてきた場合に、ゴト行為が行われているおそれがあると判断し、スピーカー等を介して音を発したりして異常を報知するようになっている。なお、センサユニット３７は、ゴト行為等の異常を検知するものではなく、例えば、メダル通路３５を通過するメダルの枚数をカウントするもの等であってもよい。また、センサ１００は、可動片１１０の動作を検知することができるものであれば、フォトインタラプタ以外のセンサを用いてもよい。また、可動片１１０は、ねじりコイルばね９７以外の弾性体等によって、メダル通路３５内に突出するように付勢されていてもよい。また、可動片１１０は、回動するように押下されるものではなく、直動するように押下されるもの等であってもよい。
【００６４】
可動片１１０は、ねじりコイルばね９７の付勢力に抗って最大限動作させた場合、第二板状部１１１ｂの下端部の背面が傾斜面８２の前面に当接して停止するようになっている。また、このとき、可動片１１０の前面（第二板状部１１１ｂの前面）は、凸部７０，７０の前面よりも僅かに後方に位置するようになっている。換言すると、可動片１１０は、メダル通路３５を通過するメダルに接触しない位置まで押し込むことが可能となっている。
【００６５】
また、前述のように、可動片１１０の動作前の状態において、可動片１１０とレール前部材５１との間隔は、メダル１枚分未満となっており、可動片１１０のメダル接触部１１１は、下側ほどメダル通路３５に突出しているため、メダル通路３５を逆流しようとする物体の動きは、可動片１１０によって押さえられ、当該物体がメダル通路３５を通して引き抜かれることが防止されるようになっている。
【００６６】
レール後部材５０およびレール前部材５１は、図７に示すように、レール後部材５０のネジ挿通部８６ａに挿通されたネジと、レール前部材５１のネジ挿通部５５ａに挿通されたネジとが、メダル投入部３１の２つのボス４８，４８それぞれのネジ孔にねじ込まれることにより、メダル投入部３１と一体化されている。また、レール後部材５０の係止部８８が、メダル投入部３１の角筒状突出部４７の側面に係止されるとともに、メダル投入部３１の係止片４９が、レール前部材５１の切欠き部５６に係止されることにより、メダル投入部３１に対するレール後部材５０およびレール前部材５１の位置決めがされている。また、レール後部材５０およびレール前部材５１の上端面は、メダル投入部３１の下端面に当接している。そして、これにより、投入口側メダル通路４５とメダル通路３５とが連通した状態となっている。
【００６７】
ここで、投入口側メダル通路４５とメダル通路３５との高さ方向の関係について図９を参照しながら説明する。投入口側メダル通路４５の出口における高さＨ３は、約２．２ｍｍとなっている。一方、メダル通路３５の高さＨ２は前述の通り約２．３ｍｍとなっている。すなわち、メダル通路３５の高さＨ２は、投入口側メダル通路４５の出口の高さＨ３よりも高くなっており、投入口側メダル通路４５からメダル通路３５へメダルが通りやすくなっている。
【００６８】
また、レール後部材５０およびレール前部材５１のメダル投入部３１への取り付け具合によって、投入口側メダル通路４５の出口に対するメダル通路３５の入り口の位置は多少変化する。しかし、レール後部材５０がメダル投入部３１に対して最大限前側にずれた状態であっても、凹部７１が投入口側メダル通路４５の後面よりも前側に位置することはないように設定されている。また、レール後部材５０がメダル投入部３１に対して最大限前側にずれた状態であっても、レール後部材５０の左右の凸部７０，７０の上端の傾斜面７０ａの上縁が、投入口側メダル通路４５の後面の下縁よりも前側に位置することはないように設定されている。また、レール前部材５１がメダル投入部３１に対して最大限後側にずれた状態であっても、レール前部材５１の上端の傾斜面５１ａの上縁が、投入口側メダル通路４５の前面の下縁よりも後側に位置することはないように設定されている。換言すると、投入口側メダル通路４５からレール後部材５０およびレール前部材５１の上端面は見えないようになっている。すなわち、メダル通路３５の高さＨ２は、投入口側メダル通路４５の出口部分の高さＨ３よりも高くなっているため、互いの位置決めが正確であれば、メダル通路３５と投入口側メダル通路４５との接合点においてメダルが引っかかる心配はないが、これに加えて、レール前部材５１の上端と、レール後部材５０の凸部７０，７０の上端とが面取りされていることにより、当該位置決めが多少ずれたとしても、当該接合点においてメダルが引っかかる心配がないようにされている。
【００６９】
また、投入口側メダル通路４５の出口からメダル制止壁４２の上端までの長さＬ１は、メダル１枚の直径（３０ｍｍ）よりも短くなっている。換言すると、メダル投入部３１に形成された投入口側メダル通路４５と他部材（メダル通路３５）との接合部からメダル制止壁４２の上端までの長さは、メダル１枚の直径よりも短くなっている。すなわち、本実施の形態の遊技機においては、メダル通路３５と投入口側メダル通路４５とのつなぎ目にメダルが引っかかることはないようにされているが、仮に当該つなぎ目にメダルが引っかかりうる構成であったとしても、当該つなぎ目にメダルが引っかかった場合に、メダルの上側の縁がメダル制止壁４２よりも上側に位置し、遊技者がメダルの裏面に触れることが可能となるようになっている。これにより、メダルが引っかかった場合に、メダルを掴んで容易に引き抜くことができるようになっている。
【００７０】
レール後部材５０とレール前部材５１とセレクタ３３とは、図１２に示すように、レール後部材５０のネジ挿通孔６５，６５およびレール前部材５１のネジ挿通孔５７，５７に挿通されたネジ１２８，１２８がセレクタ上部に設けられたネジ孔（図示せず）にねじ込まれることで、一体化されている。
【００７１】
セレクタ３３は、メダルを選別するメダル選別部１３０と、このメダル選別部１３０へとメダルを導くセレクタ側メダル通路１３１とを備えている。セレクタ側メダル通路１３１は、メダルが通過する通路である。セレクタ側メダル通路１３１は、図１３に示すように、高さ方向（メダルの厚さ方向）に湾曲した通路となっているが、入口部分のみ高さが僅かに高くなっており、入口部分を除く通路の略全体において高さが一定となっている。また、セレクタ側メダル通路１３１は、どの部分においても高さがメダル２枚分の厚さ未満となっている。また、セレクタ側メダル通路１３１の高さＨ４は、連通するメダル通路３５の高さＨ２よりも高くなっている。具体的には、メダル通路３５の高さＨ２が約２．３ｍｍなのに対し、セレクタ側メダル通路１３１の高さＨ４は、３．４ｍｍとなっている。また、セレクタ側メダル通路１３１は、どの部分においても、幅がメダル１枚分の幅よりも僅かに広い程度となっている。
【００７２】
セレクタ側メダル通路１３１は、図１２に示すように、その前面および後面、すなわちメダルのそれぞれの面に対向する面に、メダルの通過経路に沿った複数の突条１３４が設けられている。また、セレクタ側メダル通路１３１の前面に設けられた複数の突条１３４と後面に設けられた複数の突条１３４とは、互いに対向する位置に配置されている。
【００７３】
メダル選別部１３０は、メダル選別機構１４０と、このメダル選別機構１４０の後側に配置されたメダル排出部１４１とを備えている。メダル選別機構１４０は、既定のメダルであって、適切なタイミングで投入されたメダルを、メダル排出部１４１から落ちないように支持し、前記ホッパーユニットに向けて導くようになっている。一方、メダル選別機構１４０は、既定の大きさとは異なる大きさのメダルや、不適切なタイミングで投入されたメダル等の非正規のメダルを、メダル排出部１４１に向けて落とすようになっている。そして、メダル排出部１４１から落とされたメダルは、前記メダル払い出し口からメダル受け皿１８に排出されるようになっている。なお、このようにメダルを選別する機構は、従来のセレクタのものを用いればよい。
【００７４】
このように本構成においては、メダル通路３５の両側部には、メダルの一方の面に接触する凸部７０，７０が形成されている。また、凸部７０，７０は、メダル通路３５を通過するメダルがメダル通路３５の一方の側部に寄った状態であっても、メダル通路３５の他方の側部に形成された凸部７０に、メダルの一方の面が接触可能に形成されているとともに、メダル通路３５を通過するメダルがメダル通路３５の他方の側部に寄った状態であっても、メダル通路３５の一方の側部に形成された凸部７０に、メダルの一方の面が接触可能に形成されている。したがって、メダルは、一方の面の両端部がメダル通路３５の両側部に形成された凸部７０，７０それぞれに接触可能な状態で、メダル通路３５を通過することとなる。このため、メダル通路３５を通過するメダルは、両側部の凸部７０に案内され、凸部７０と凸部７０の間の凹部７１には接触しなくなるので、メダルとメダル通路３５との接触面積が小さくなり、メダルに働く摩擦力が低減される。したがって、メダルの流れを滑らかにし、メダル詰まりを防止することができる。また、メダル通路３５内のゴミが、凹部７１に入るようになるので、このゴミによってメダルの流れが阻害されることが無くなり、メダル詰まりを防止することができる。
【００７５】
また、凸部７０，７０が、メダル通路３５の両側部に形成されるとともに、どちらかの側部にメダルが寄った場合であっても、他方の側部側の凸部７０にメダルが接触可能なように形成されるので、凸部７０の幅は、ある程度広く設定されることとなる。したがって、凸部７０が摩耗しにくくなるという効果も得ることができる。
【００７６】
また、本構成においては、メダル通路３５は、下方に向かうにつれて左方に向かうように湾曲する第一曲部３５ａを有し、可動片１１０は、メダルが接触するメダル接触部１１１を有している。また、メダル接触部１１１は、第一曲部３５ａの出口付近に配置され、メダル接触部１１１がメダル通路３５内に向けて突出するように可動片１１０が付勢されている。また、メダル接触部１１１の第一曲部３５ａ側の端部は、面取りされた形状となっている。したがって、例えば、メダルＭが、図８において二点鎖線で示す位置から左上にバウンドするような場合に、メダル通路３５を流下してきたメダルがバウンドしてから左側壁６２に当たって跳ね返ってくるまでの間に可動片１１０に当たることを防止することができる。仮に、メダル接触部１１１の右端部が面取りされていない場合、図８において二点鎖線で示す位置にメダルＭがあるときには、可動片１１０が押下されてしまうこととなる。そうすると、メダルＭがバウンドした際に、可動片１１０の押下が一旦解除され、左側壁６２に当たって跳ね返ってきた後に再度可動片１１０が押下されることとなる。すなわち、この場合１枚のメダルによって２回可動片１１０が押下されることとなる。したがって、可動片１１０の押下回数によってメダルの通過枚数をカウントする場合などに、誤検出が生じてしまうこととなる。また、メダルＭがバウンドした際に、可動片１１０の押下が一旦解除されない場合には、メダルＭがバウンドして戻ってくるまでの間ずっと可動片１１０が押下されたままとなってしまうため、１枚のメダルによる可動片１１０の押下時間が想定よりも長くなってしまい、誤検出が生じてしまうおそれがある。本実施の形態の構成においては、メダル接触部１１１の第一曲部３５ａ側の端部が、面取りされた形状となっており、傾斜面１１８が形成されているので、不要なメダルの接触を抑え、このような誤検出を防ぐことができる。
【００７７】
また、傾斜面１１８が形成されており、メダルは可動片１１０のうち、傾斜面１１８に最初に接触するようになっているので、メダルの衝突する衝撃を面で受けることができ、可動片１１０の摩耗を抑制することができる。また、傾斜面１１８が形成されていることにより、メダルがメダル通路３５のどこを通過した場合であっても、１枚のメダルによって可動片１１０が押下される時間を、ある程度一定に揃えることができる。
【００７８】
なお、メダル通路３５や、投入口側メダル通路４５は、鉛直面に対して傾斜して設けられていてもよい。また、メダル通路３５や、投入口側メダル通路４５の前面は、必ずしもスロットマシンＸの正面を向いていなくてもよく、スロットマシンＸの側方や後方等を向くように配置されていてもよい。また、このようにスロットマシンＸの正面とメダル通路３５や投入口側メダル通路４５の正面とが一致していない場合には、メダル通路３５や投入口側メダル通路４５に関する左右の記載は、メダル通路３５や投入口側メダル通路４５を正面から見たときの左右として適宜読み換えればよい。
【符号の説明】
【００７９】
３３  セレクタ
３５  メダル通路
３５ａ  第一曲部（曲部）
４１  メダル投入口
４５  投入口側メダル通路
１００  センサ
１１０  可動片（可動部材）
１１１  メダル接触部
１１８  傾斜面
【図１】
2019154938.tif 000003
【図２】
2019154938.tif 000004
【図３】
2019154938.tif 000005
【図４】
2019154938.tif 000006
【図５】
2019154938.tif 000007
【図６】
2019154938.tif 000008
【図７】
2019154938.tif 000009
【図８】
2019154938.tif 000010
【図９】
2019154938.tif 000011
【図１０】
2019154938.tif 000012
【図１１】
2019154938.tif 000013
【図１２】
2019154938.tif 000014
【図１３】
2019154938.tif 000015
【手続補正書】
【提出日】令和1年5月17日(2019.5.17)
【手続補正１】
【補正対象書類名】特許請求の範囲
【補正対象項目名】全文
【補正方法】変更
【補正の内容】
【特許請求の範囲】
【請求項１】
メダル投入口から投入されたメダルが通過するメダル通路を備える遊技機であって、
前記メダル通路の対向する２つの面それぞれには、メダルの表面または裏面が接する複数の突条がそれぞれに同数設けられており、一方の面に設けられた前記突条それぞれと対向する位置に、他方の面に設けられた前記突条それぞれが配置されていることを特徴とする遊技機。